(57)【要約】【課題】設定情報が変更された機能と設定変更が行われる前の機能をアイコンにより区別する。【解決手段】原機能の設定情報を変更した派生機能を保存するとき、これらの機能の名称のほか、その機能に関連付けられたアイコンの形状、模様、色、大きさ等の視覚的要素を変更することができる。このとき、原機能であるコピー機能のアイコンは、そのコピー機能の派生機能のアイコンとして選択することが制限（禁止）されている。同様に色についても、原機能であるコピー機能のアイコンＩｃの色は、そのコピー機能の派生機能のアイコンの色として選択することが制限（禁止）されている。このようにアイコンの形状、模様及び色の制限を設けることにより、原機能において設定情報が変更された派生機能のアイコンであることが視覚的に認識しやすくなる。【選択図】図６
2017173967.tif 000002
【特許請求の範囲】
【請求項１】
機能を実現するときに条件を指定する情報である設定情報を変更する設定情報変更手段と、
前記機能についての前記設定情報が変更された派生機能が、選択されたアイコンに関連付けられて保存される場合に、前記機能に関連付けられている第１のアイコンの選択を制限し、当該第１のアイコンとは異なる第２のアイコンの選択を許可する選択手段と
を備える情報処理装置。
【請求項２】
前記第２のアイコンは、前記第１のアイコンと一部が共通する
請求項１記載の情報処理装置。
【請求項３】
前記第２のアイコンは、前記第１のアイコンと形状又は模様が共通で色が異なる
請求項２記載の情報処理装置。
【請求項４】
前記第２のアイコンは、前記第１のアイコンと共通する画像部分を有する
請求項２記載の情報処理装置。
【請求項５】
前記第２のアイコンは、前記第１のアイコンに対して当該第１のアイコンとは異なる画像を重畳したアイコンである
請求項２記載の情報処理装置。
【請求項６】
前記派生機能が前記第２のアイコンに関連付けられて保存される場合に、前記第１のアイコンを表示させる表示制御手段を備える
請求項１記載の情報処理装置。
【請求項７】
前記表示制御手段は、前記派生機能が前記第２のアイコンに関連付けられて保存される場合に、前記第１のアイコンに視覚的効果を付与しながら前記第２のアイコンの表示に遷移させる
請求項６記載の情報処理装置。
【請求項８】
前記表示制御手段は、前記第２のアイコンに対して所定の操作が行われると、前記第１のアイコンを表示させる
請求項６記載の情報処理装置。
【請求項９】
前記派生機能が前記第２のアイコンに関連付けられて保存される場合に、前記第１のアイコンに対して所定の位置関係となる表示領域に前記第２のアイコンを表示させる表示制御手段を備える
請求項１記載の情報処理装置。
【請求項１０】
前記選択手段は、前記派生機能が第２のアイコンに関連付けられて保存される場合に、既に使用されているアイコンの選択を制限する
請求項１〜９のいずれか１項に記載の情報処理装置。
【請求項１１】
コンピュータを、
機能を実現するときに条件を指定する情報である設定情報を変更する設定情報変更手段と、
前記機能についての前記設定情報が変更された派生機能が、選択されたアイコンに関連付けられて保存される場合に、前記機能に関連付けられている第１のアイコンの選択を制限し、当該第１のアイコンとは異なる第２のアイコンの選択を許可する選択手段と
して機能させるためのプログラム。
【発明の詳細な説明】
【技術分野】
【０００１】
本発明は、情報処理装置及びプログラムに関する。
【背景技術】
【０００２】
特許文献１には、新規に追加されたアイコンを画面に表示する仕組みが開示されている。
【先行技術文献】
【特許文献】
【０００３】
【特許文献１】特開平１０−２９３６７６号公報
【発明の概要】
【発明が解決しようとする課題】
【０００４】
予め用意されている機能の設定を変更することができるが、設定が変更された機能と、関連付けを行うアイコンとして、設定変更が行われる前の機能と関連付けられたアイコンと同じものを関連付けると、アイコンにより元の機能と区別することができない。
本発明は、設定情報が変更された機能と設定変更が行われる前の機能とをアイコンにより区別することを目的とする。
【課題を解決するための手段】
【０００５】
請求項１に係る発明は、機能を実現するときに条件を指定する情報である設定情報を変更する設定情報変更手段と、前記機能についての前記設定情報が変更された派生機能が、選択されたアイコンに関連付けられて保存される場合に、前記機能に関連付けられている第１のアイコンの選択を制限し、当該第１のアイコンとは異なる第２のアイコンの選択を許可する選択手段とを備える情報処理装置を提供する。
【０００６】
請求項２に係る発明は、請求項１記載の構成において、前記第２のアイコンは、前記第１のアイコンと一部が共通する。
【０００７】
請求項３に係る発明は、請求項２記載の構成において、前記第２のアイコンは、前記第１のアイコンと形状又は模様が共通で色が異なる。
【０００８】
請求項４に係る発明は、請求項２記載の構成において、前記第２のアイコンは、前記第１のアイコンと共通する画像部分を有する。
【０００９】
請求項５に係る発明は、請求項２記載の構成において、前記第２のアイコンは、前記第１のアイコンに対して当該第１のアイコンとは異なる画像を重畳したアイコンである。
【００１０】
請求項６に係る発明は、請求項１記載の構成において、前記派生機能が前記第２のアイコンに関連付けられて保存される場合に、前記第１のアイコンを表示させる表示制御手段を備える。
【００１１】
請求項７に係る発明は、請求項６記載の構成において、前記表示制御手段は、前記派生機能が前記第２のアイコンに関連付けられて保存される場合に、前記第１のアイコンに視覚的効果を付与しながら前記第２のアイコンの表示に遷移させる。
【００１２】
請求項８に係る発明は、請求項６記載の構成において、前記表示制御手段は、前記第２のアイコンに対して所定の操作が行われると、前記第１のアイコンを表示させる。
【００１３】
請求項９に係る発明は、請求項１記載の構成において、前記派生機能が前記第２のアイコンに関連付けられて保存される場合に、前記第１のアイコンに対して所定の位置関係となる表示領域に前記第２のアイコンを表示させる表示制御手段を備える
【００１４】
請求項１０に係る発明は、請求項１〜９のいずれか１項に記載の構成において、前記選択手段は、前記派生機能が第２のアイコンに関連付けられて保存される場合に、既に使用されているアイコンの選択を制限する。
【００１５】
請求項１１に係る発明は、コンピュータを、機能を実現するときに条件を指定する情報である設定情報を変更する設定情報変更手段と、前記機能についての前記設定情報が変更された派生機能が、選択されたアイコンに関連付けられて保存される場合に、前記機能に関連付けられている第１のアイコンの選択を制限し、当該第１のアイコンとは異なる第２のアイコンの選択を許可する選択手段として機能させるためのプログラムである。
【発明の効果】
【００１６】
請求項１、１１に係る発明によれば、設定情報が変更された機能と設定変更が行われる前の機能とをアイコンにより区別することができる。
請求項２〜９に係る発明によれば、第１のアイコンと第２のアイコンとが関連していることをユーザが認識しやすくなる。
請求項１０に係る発明によれば、他のアイコンとの混同を防止できる。
【図面の簡単な説明】
【００１７】
【図１】画像形成装置１のハードウェア構成を示す図。
【図２】画像形成装置１の機能構成を示すブロック図。
【図３】初期画面の一例を示す図。
【図４】コピー設定画面の一例を示す図。
【図５】派生機能の登録画面の一例を示す図。
【図６】派生機能の登録画面の一例を示す図。
【図７】初期画面の遷移の一例を示す図。
【図８】派生機能のアイコンの表示形態の一例を示す図。
【図９】派生機能のアイコンの表示形態の一例を示す図。
【図１０】派生機能のアイコンの表示形態の一例を示す図。
【図１１】派生機能のアイコンの表示形態の一例を示す図。
【図１２】派生機能のアイコンの表示形態の一例を示す図。
【図１３】初期画面における派生機能のアイコンの表示形態の一例を示す図。
【図１４】初期画面における派生機能のアイコンの表示形態の一例を示す図。
【発明を実施するための形態】
【００１８】
本発明の実施形態の一例について説明する。
＜構成＞
図１は、画像形成装置１のハードウェア構成を示す図である。画像形成装置１は、本発明に係る情報処理装置の一例である。画像形成装置１は、制御部１１、記憶部１２、通信部１３、ＵＩ（User Interface）部１４、読取部１５、画像処理部１６、及び画像形成部１７を備える。
【００１９】
制御部１１は、ＣＰＵ（Central Processing Unit）などの演算装置と、ＲＯＭ（Read Only Memory）やＲＡＭ（Random Access Memory）などの記憶装置とを備えており、後述するような表示制御を含む画像形成装置１の全体的な制御を行う。ＲＯＭには、ハードウェアやＯＳ（Operating System）の起動の手順を記述したファームウェアが記憶されている。ＲＡＭは、ＣＰＵが演算を実行する際のデータの記憶に用いられる。記憶部１２は、例えば半導体メモリやハードディスク記憶装置などを備え、ＯＳのほか、各種の機能を実現するためのソフトウェア（プログラム）を記憶している。通信部１３は、外部の電子機器との間で通信を行うための通信Ｉ／Ｆ（Interface）を備える。通信部１３は、ＬＡＮ（Local Area Network）などの通信回線に接続される。
【００２０】
ＵＩ部１４は、表示部と操作部とを含む。表示部は例えば液晶表示装置を備え、ユーザが画像形成装置１を操作するための画面を表示面に表示する。操作部１５は、例えば表示部１４の表示面を覆うように設けられたタッチパネルや、表示面に隣接する位置に設けられたキーボードなどを備え、ユーザが行った操作を受け付けて、その操作に応じた信号を制御部１１に出力する。制御部１１は、この操作の内容に従って画像形成装置１を制御する。
【００２１】
読取部１５は、原稿を光学的に読み取って画像データを生成する。読取部１６は、例えば、プラテンガラス、光源、光学系、カラーフィルタ、撮像素子などを備えたイメージスキャナであり、プラテンガラス上に載せられた原稿に対して光源が光を照射し、原稿で反射された反射光が光学系及びカラーフィルタを介して撮像素子に入射する。撮像素子は、入射した光を画像信号に変換して画像処理部１６に出力する。画像処理部１６は、読取部１５から出力された画像信号にスクリーン処理や色変換などの画像処理を施して、ラスタデータを生成する。画像形成部１７は、画像処理部１６が生成したラスタデータに基づく画像を、記録媒体である用紙に形成する。画像形成方式は、例えば、電子写真方式やインクジェット方式などである。
【００２２】
図２は、画像形成装置１の機能構成を示すブロック図である。これらの機能は、制御部１１が記憶部１２に記憶されたプログラムを実行することによって実現される。設定情報変更部１１０は、機能を実現するときの条件を指定する情報である設定情報を変更する。ここでいう設定情報とは、例えばコピーという機能の場合には、部数、カラー／白黒、まとめて１枚（いわゆるＮアップ）などである。選択部１２０は、或る機能（原機能）についての設定情報が変更された派生機能が、ユーザにより選択されたアイコンに関連付けられて保存される場合に、上記の或る機能に関連付けられている第１のアイコンの選択を制限し、当該第１のアイコンとは異なる第２のアイコンの選択を許可する。表示制御部１３０は、派生機能が第２のアイコンに関連付けられて保存される場合に、その派生機能に対して原機能に相当する機能の第１のアイコンを表示させる。
【００２３】
図３は、ＵＩ部１４に表示される初期画面を示す図である。この初期画面は、ホーム画面とも呼ばれ、ＯＳが起動したときに最初に表示される画面である。初期画面には、例えばコピー機能、ファクシミリ機能、スキャン機能等の各機能に関連付けられたアイコンが配置される。アイコンとは、ショートカットなどとも呼ばれる、仮想的な操作子のことである。いずれかのアイコンがユーザによって操作されると、そのアイコンに関連付けられた機能が起動し、その機能を操作するための画面（図４）がＵＩ部１４に表示される。画面に表示されることにより操作が受け付けられる状態となった機能を、操作対象の機能という。つまり、フォアグラウンドで動作している機能が、操作対象の機能であり、バックグラウンドで動作している機能が、操作対象でない機能である。
【００２４】
図３において、例えば「Ｃｏｐｙ」と表記されたアイコンＩｃは、コピー機能を操作対象に指定するためのアイコンである。コピー機能は、原稿を複写するための機能である。初期画面上でコピー機能のアイコンＩｃが操作されると、制御部１１は、図４に示すようなコピー設定画面を表示する。コピー設定画面は、コピー機能を操作するための画面であり、具体的には、複写する部数、カラー／白黒、まとめて１枚などの各種設定情報が登録又は変更可能になっている。
【００２５】
これらの各機能においては、設定情報を変更して保存したり、設定情報を変更した機能を新たな新規機能として保存したり、或いは、ユーザが変更した設定情報を初期値にリセットしたりすることが可能である。機能の設定情報を変更して保存する場合において、その設定情報変更後の機能は、原機能から派生した派生機能に相当する。また、設定情報を変更した機能を新規機能として保存するときのその新規機能も、原機能に対する派生機能に相当する。以下、前者を機能変更と呼び、後者を新規登録と呼ぶ。このような派生機能を保存するとき、これらの機能の名称のほか、その機能に関連付けられたアイコンの形状、模様、色、大きさ等の視覚的要素を変更することができる。このようなアイコンの視覚的要素の変更により、初期画面上で所望の機能のアイコンを探すときに、設定情報が変更された派生機能であることをユーザが認識しやすくなる。
【００２６】
図４に示す設定画面においてユーザが所定の操作を行うと、図５，６に示すような画面が表示され、派生機能を保存することができる。図５は、派生機能の名称を変更するための画面の一例である。テキストボックスＴには当初は原機能名称が表示されているが、ユーザがここに派生機能の名称を入力すると、派生機能のアイコンにその名称が表記されるようになる。図５の例では、「Ｃｏｐｙ」という表記のアイコンに関連付けられた機能の名称をユーザが所望する「Ｍｙ  Ｃｏｐｙ」に変更した例を示している。そして、図５に示す画面においてユーザが所定の操作を行うと、図６に示すような画面が表示され、アイコンの視覚的要素を変更することができる。
【００２７】
図６は、アイコンの視覚的要素を変更するための画面の一例である。この画面には、派生機能のアイコンの形状及び模様として候補群Ｉｇが表示され、そのアイコンの色として候補群Ｃｇが表示される。アイコンの形状及び模様の候補群Ｉｇからいずれかがユーザにより選択され、さらに、色の候補群Ｃｇからいずれかが選択されると、アイコンの形状、模様及び色が決まり、プレビュー欄Ｐｒにそのアイコン形状、模様及び色のアイコンが表示される。
【００２８】
このとき、派生機能に対する原機能であるコピー機能のアイコンＩｃ（第１のアイコン)は、候補群Ｉｇに含まれていない。つまり、原機能であるコピー機能のアイコンは、そのコピー機能の派生機能のアイコンとして選択することが制限（禁止）されている。つまり、原機能であるコピー機能のアイコンＩｃ（第１のアイコン）とは異なるアイコン群（第２のアイコン）が、候補群Ｉｇとして選択が許可されている。同様に色についても、原機能であるコピー機能のアイコンＩｃの色は候補群Ｃｇに含まれていない。つまり、原機能であるコピー機能のアイコンＩｃの色は、そのコピー機能の派生機能のアイコンの色として選択することが制限（禁止）されている。つまり、原機能であるコピー機能のアイコンＩｃの色とは異なる色の選択が許可されている。このようにアイコンの形状、模様及び色の制限を設けることにより、原機能において設定情報が変更された派生機能のアイコンであることが視覚的に認識しやすくなる。
【００２９】
さらに、このようにして派生機能がユーザにより選択されたアイコンに関連付けられて保存される場合に、制御部１１は、原機能であるコピー機能のアイコンＩｃ（第１のアイコン）に視覚的効果を付与しながら、派生機能のアイコン（第２のアイコン）の表示に遷移させる。さらに、新規登録の場合には、制御部１１は、原機能であるコピー機能のアイコンＩｃ（第１のアイコン）に対して所定の位置関係となる表示領域に、派生機能のアイコン（第２のアイコン）を表示させる。また、機能変更の場合には、制御部１１は、原機能であるコピー機能のアイコンＩｃ（第１のアイコン）の位置を変えずに、その名称及び視覚的要素を派生機能のものに変更する。
【００３０】
例えばコピー機能に対して派生機能を新規登録する場合、制御部１１は、図７に示すように、「Ｃｏｐｙ」のアイコンＩｃの隣（ここでは右隣）にあるアイコン群の位置を１つ分ずつ移動させて（図中点線矢印）、「Ｃｏｐｙ」のアイコンＩｃの隣の表示領域を１つのアイコン分だけ空ける。このとき、「Ｃｏｐｙ」のアイコンＩｃと同じ行の右端にあるアイコン（図７右図では「Ｓｃａｎ  ｔｏ  Ｅｍａｉｌ」のアイコン）を１つ下の行の左端に移動させ（図中点線矢印）、そして、その行に合ったアイコン群の位置を右に１つ分ずつ移動させる（図中点線矢印）。制御部１１は、このようにして空いた領域に、新規登録の「Ｍｙ  Ｃｏｐｙ」のアイコンＩｓを表示する。このとき、制御部１１は、図８（Ａ）に示すように、空けられた領域の背景画像に対して、「Ｍｙ  Ｃｏｐｙ」のアイコンＩｃを徐々に濃く表示するような視覚的効果を付与する。このようにすれば、どこにアイコンが追加されたかをユーザが認識しやすくなる。
【００３１】
また、機能変更の場合には、制御部１１は、図８（Ｂ）に示すように、原機能「Ｃｏｐｙ」のアイコンＩｃを徐々に薄くするとともに、派生機能の「Ｍｙ  Ｃｏｐｙ」のアイコンＩｓを徐々に濃く表示するような視覚的効果を付与する。このように、派生機能がアイコンに関連付けられて保存される場合に、原機能のアイコンを表示させることで、原機能のアイコン（第１のアイコン）と派生機能のアイコン（第２のアイコン）とが関連していることをユーザが認識しやすくなる。
【００３２】
本実施形態によれば、設定情報が変更された機能に関連付けられたアイコンを視覚的に認識しやすく画面に表示することができる。
【００３３】
＜変形例＞
実施形態を次のように変形してもよい。また、複数の変形例を組み合わせてもよい。
＜１＞
派生機能のアイコンＩＳは、原機能のアイコンＩｃと一部のみが共通していて、全体として異なっていてもよい。具体的には、図９に示すように。派生機能のアイコンＩｓは、ユーザによって選択されたハート型のアイコンに対して、原機能のアイコンＩｃを縮小したものを重畳したものであってもよい。また、図１０に示すように、派生機能のアイコンＩｓは、原機能のアイコンＩｃに対して、その原機能のアイコンＩｃとは異なるアイコンであって、ユーザによって選択されハート型のアイコンＩｓを縮小したものを重畳したものであってもよい。いずれも場合も、派生機能のアイコンＩｓは、原機能のアイコンＩｃと共通する画像部分を有している。これにより、原機能から設定情報が変更されていることが視覚的に認識しやすくなる。
また、派生機能のアイコンＩｓは、原機能のアイコンＩｃと形状又は模様が共通で、色が異なっているだけでもよい。これにより、原機能から設定情報が変更されていることが視覚的に認識しやすくなる。
【００３４】
＜２＞
派生機能の設定情報を変更して新規登録する場合、原機能から設定情報が変更された回数をアイコン上に表現してもよい。具体的には、図１１に示すように、原機能のアイコンＩｃを縮小したものと、その原機能に対する派生機能のアイコンＩｓを縮小したものとを上下に並べて、新規登録された人型のアイコンに重畳してもよい。また、図１２に示すように、派生機能のアイコンＩｓに対して上記回数を表現したものを、新規登録された人型のアイコンに重畳してもよい。これにより、原機能から設定情報が何回変更されているかが視覚的に認識しやすくなる。
【００３５】
＜３＞
原機能アイコンと派生機能のアイコンとでサイズを変えてもよい。例えば図１３，１４に示すように、派生機能のアイコンＩｓのサイズを、原機能のアイコンＩｃよりも、一回り大きくまたは小さくしてもよい。これにより、原機能から設定情報が変更されていることが視覚的に認識しやすくなる。
【００３６】
＜４＞
実施形態では、派生機能がアイコンに関連付けられて保存される場合に、原機能のアイコンに視覚的効果を付与することで、原機能のアイコンを表示させていた。これを例えば、制御部１１は、派生機能のアイコンに対して所定の操作（例えば閾値以上の期間タッチする、いわゆる長押し等）が行われると、原機能のアイコンを表示させるようにしてもよい。
【００３７】
＜５＞
制御部１１は、派生機能がアイコンに関連付けられて保存される場合に、原機能のほか、他の異なる機能において既に使用されているアイコンの選択を制限（禁止）するようにしてもよい。
【００３８】
＜６＞
上記の実施形態では、操作部がタッチパネルの機能を有する例を示したが、マウスなどのポインティングデバイスを備えていてもよい。
上記の実施形態では、制御部１１がプログラムを実行することによって上記の機能を実現する例を示したが、上記の機能がハードウェア回路で実装されていてもよい。また、このプログラムを、光記録媒体、半導体メモリ等、コンピュータで読み取り可能な記録媒体に記録して提供し、この記録媒体からプログラムを読み取って情報処理装置にインストールするようにしてもよい。また、このプログラムを電気通信回線で提供してもよい。
【符号の説明】
【００３９】
１…画像形成装置、１１…制御部、１２…記憶部、１３…通信部、１４…ＵＩ部、１５…読取部、１６…画像処理部、１７…画像形成部、１１０…設定情報変更部、１２０…選択部、１３０…表示制御部。
【図１】
2017173967.tif 000003
【図２】
2017173967.tif 000004
【図３】
2017173967.tif 000005
【図４】
2017173967.tif 000006
【図５】
2017173967.tif 000007
【図６】
2017173967.tif 000008
【図７】
2017173967.tif 000009
【図８】
2017173967.tif 000010
【図９】
2017173967.tif 000011
【図１０】
2017173967.tif 000012
【図１１】
2017173967.tif 000013
【図１２】
2017173967.tif 000014
【図１３】
2017173967.tif 000015
【図１４】
2017173967.tif 000016